(57)【要約】【課題】電子部品の振動を確実に抑止する。【解決手段】一対のリード線２１が前面から延出して配された電子部品２０と、リード線２１と接続される接続部１４Ｓ，１５Ｓを有する導電部材１０Ａ，１０Ｂと、接続部１４Ｓ，１５Ｓを後面から突出させた形態で導電部材１０Ａ，１０Ｂが装着されたハウジング３０と、ハウジング３０の後方位置において同ハウジング３０と一体形成され、リード線２１を導電部材１０Ａ，１０Ｂの接続部１４Ｓ，１５Ｓと接続可能に前方に突出した形態で電子部品２０が支持されるホルダ５０と、ホルダ５０に支持された電子部品２０を収容しつつハウジング３０の後面を覆って被着されるカバー６０と、カバー６０内に装着され電子部品２０を緊密に嵌着して保持する弾性材からなる保持部材７０と、が具備されている。【選択図】図７
2015011909.tif 000002
【特許請求の範囲】
【請求項１】
一対のリード線が前面から延出して配された電子部品と、
前記リード線と接続される接続部を有する導電部材と、
前記接続部を後面から突出させた形態で前記導電部材が装着されたハウジングと、
前記ハウジングの後方位置において同ハウジングと一体形成され、前記リード線を前記導電部材の前記接続部と接続可能に前方に突出した形態で前記電子部品が支持されるホルダと、
前記ホルダに支持された前記電子部品を収容しつつ前記ハウジングの後面を覆って被着されるカバーと、
前記カバー内に装着され前記電子部品を緊密に嵌着して保持する弾性材からなる保持部材と、
が具備されていることを特徴とする電子部品付きコネクタ。
【請求項２】
前記カバーは後面が閉鎖された筒状に形成され、同カバーの前端開口部が前記ハウジングの後端部に外嵌されて装着されるようになっている一方、
前記保持部材の前縁が前記カバーの内面に沿って前方に延出され、その延出端が、前記カバーの前端開口部の内周面と、前記ハウジングの後端部の外周面との間で弾性的に挟持されるシール部となっていることを特徴とする請求項１記載の電子部品付きコネクタ。
【請求項３】
前記ハウジングの後面から左右一対の連結板が平行姿勢で後方に向けて延出形成され、前記両連結板の延出端に亘って前記ホルダが形成されており、前記ハウジングの後面と前記ホルダとの間に、前記導電部材の前記接続部と、前記電子部品の前記リード線とを接続するための作業スペースが確保されていることを特徴とする請求項１または請求項２記載の電子部品付きコネクタ。
【請求項４】
前記電子部品が略円柱形状をなし、前記ホルダには前記電子部品の前端側を載せる円弧形の載置面と、前記リード線の基端側を載せて支持する支持部とが設けられていることを特徴とする請求項１ないし請求項３のいずれか一項に記載の電子部品付きコネクタ。
【発明の詳細な説明】
【技術分野】
【０００１】
本発明は、電子部品付きコネクタに関する。
【背景技術】
【０００２】
従来、コンデンサ等の電子部品を内蔵した電子部品付きコネクタとして、下記特許文献１に記載のものが知られている。このものは、導電部材（バスバー）が装着されたハウジングの後面に電子部品の支持部が設けられ、電子部品は支持部に当てられつつ、導電部材から延出形成された一対の弾性挟持片で挟持されることで支持され、係る状態で電子部品のリード線と導電部材の接続部とが抵抗溶接により接続されており、これらがケース内に収容されて、同ケースの底板に設けられた受け部とハウジングの支持部との間で電子部品を挟んで保持した構造となっている。
【先行技術文献】
【特許文献】
【０００３】
【特許文献１】特開２０１２−１０９１５８号公報
【発明の概要】
【発明が解決しようとする課題】
【０００４】
ところで、この種の電子部品の寸法公差は比較的大きく、例えば電子部品の径寸法が小さめであるような場合には、ハウジングの支持部とケースの受け部との間で、電子部品を強く挟み込めないおそれがある。そのような場合、コネクタが振動を受けることに起因して電子部品も大きく振動し、リード線と導電部材の接続部との溶接部分に応力が作用することが懸念され、さらなる改良が切望されていた。  
本発明は上記のような事情に基づいて完成されたものであって、その目的は、電子部品の振動を確実に抑止するところにある。
【課題を解決するための手段】
【０００５】
本発明の電子部品付きコネクタは、一対のリード線が前面から延出して配された電子部品と、前記リード線と接続される接続部を有する導電部材と、前記接続部を後面から突出させた形態で前記導電部材が装着されたハウジングと、前記ハウジングの後方位置において同ハウジングと一体形成され、前記リード線を前記導電部材の前記接続部と接続可能に前方に突出した形態で前記電子部品が支持されるホルダと、前記ホルダに支持された前記電子部品を収容しつつ前記ハウジングの後面を覆って被着されるカバーと、前記カバー内に装着され前記電子部品を緊密に嵌着して保持する弾性材からなる保持部材と、が具備されているところに特徴を有する。
【０００６】
ハウジングに導電部材が装着される一方、同ハウジングの後方位置に一体的に設けられたホルダに対して電子部品が支持され、電子部品のリード線と対応する導電部材の接続部とが抵抗溶接等で接続され、係る状態でハウジングの後面にカバーが被着されることに伴い、カバー内に装着された保持部材に電子部品が緊密に嵌着される。コネクタ内に弾性材からなる保持部材を配して、この保持部材に電子部品を嵌着して弾性的に保持する構造としたから、電子部品の寸法公差を吸収した上で、コネクタが振動を受けることに起因して電子部品が振動することを抑止でき、リード線と導電部材の接続部との接続部分が破損することを未然に防止できる。
【０００７】
また、以下のような構成としてもよい。  
（１）前記カバーは後面が閉鎖された筒状に形成され、同カバーの前端開口部が前記ハウジングの後端部に外嵌されて装着されるようになっている一方、前記保持部材の前縁が前記カバーの内面に沿って前方に延出され、その延出端が、前記カバーの前端開口部の内周面と、前記ハウジングの後端部の外周面との間で弾性的に挟持されるシール部となっている。  
カバーの前端開口部の内周面と、ハウジングの後端部の外周面との間にシール部が介在されることで防水が図られ、特に同シール部を保持部材の前縁に一体的に形成したから、シール部を別体に設けた場合と比較して、部品点数が少なくでき、かつ装着動作も正確にかつ迅速に行うことができ、もって製造コストの低減に寄与することが可能となる。
【０００８】
（２）前記ハウジングの後面から左右一対の連結板が平行姿勢で後方に向けて延出形成され、前記両連結板の延出端に亘って前記ホルダが形成されており、前記ハウジングの後面と前記ホルダとの間に、前記導電部材の前記接続部と、前記電子部品の前記リード線とを接続するための作業スペースが確保されている。  
導電部材の接続部と、電子部品のリード線とを接続するための作業スペースが確保された上で、ハウジングとホルダとを一体的に設けた簡易な構造とすることができる。
【０００９】
（３）前記電子部品が略円柱形状をなし、前記ホルダには前記電子部品の前端側を載せる円弧形の載置面と、前記リード線の基端側を載せて支持する支持部とが設けられている。  
ホルダの載置面に電子部品の前端部を載置すると、電子部品の前面から延出した一対のリード線の基端側が支持部に載せられて支持される。リード線を含めて電子部品を安定して保持することができる。
【発明の効果】
【００１０】
本発明の電子部品付きコネクタによれば、電子部品の振動を確実に抑止することができる。
【図面の簡単な説明】
【００１１】
【図１】本発明の一実施形態に係るコネクタの分解平面図
【図２】同分解側面図
【図３】組み付け手順を説明する分解断面図
【図４】組付完了後のコネクタの平面図
【図５】同正面図
【図６】同側面図
【図７】同縦断面図
【発明を実施するための形態】
【００１２】
＜実施形態＞
本発明の一実施形態を図１ないし図７に基づいて説明する。  
本実施形態に係る電子部品付きコネクタＣ（以下、単にコネクタＣという）は、自動車等に搭載された電気・電子機器等のノイズを除去するために適用されるものであって、電気・電子機器等から導出される図示しない複数の電線を一括して接続するジョイントコネクタである。
【００１３】
コネクタＣは、図１及び図２に示すように、導電部材である２個のバスバー片１０、これらのバスバー片１０が装着されるハウジング３０、電子部品であるコンデンサ２０、同コンデンサ２０を支持するホルダ５０、カバー６０、及び防振用の保持部材７０とを備えて構成されている。  
コネクタＣは図示しない相手コネクタと嵌合可能であって、以下においては、上記した各構成要素について、相手コネクタとの嵌合側（図１及び図２の左側）を前側として説明する。
【００１４】
バスバー片１０は、第１バスバー片１０Ａと第２バスバー片１０Ｂとの２個を備えており、いずれも導電性に優れた金属板材をプレス加工することで形成されている。第１バスバー片１０Ａと第２バスバー片１０Ｂとは、上下２段に配されて後記のようにハウジング３０に装着されるようになっている。なお以下において、両バスバー片１０Ａ，１０Ｂに共通した部位については、適宜に共通の符号を付して説明する。
【００１５】
バスバー片１０Ａ，１０Ｂは、帯状基板１１の前縁に、相手コネクタに保持された雌端子に接続される図示５本のタブ１２が一定ピッチで並んで突設されているとともに、帯状基板１１の後縁に、コンデンサ２０のリード線２１と接続される接続板１４，１５が突設されている。  
第１バスバー片１０Ａの第１接続板１４は、帯状基板１１のうち正面視で左右方向の中心から左に偏った位置において、この帯状基板１１と面一で後方に突出している。この第１接続板１４は全長に亘って略同一幅である。
【００１６】
一方、第２バスバー片１０Ｂの第２接続板１５は、帯状基板１１のうち左右方向の中心から右に偏った位置において後方に突出している。第２接続板１５は、先端部である接続端部１５Ｓが、第１バスバー片１０Ａの第１接続板１４と同一高さに配されるべく、長さ方向の途中位置において上方と後方に２度直角曲げされたクランク状に形成されている。第２接続板１５は、接続端部１５Ｓが第１バスバー片１０Ａの先端部である接続端部１４Ｓと同一の幅広に形成されている一方、屈曲される部分は幅狭となっている。
【００１７】
第１バスバー片１０Ａの帯状基板１１の後縁には、左右両端において先端に矢尻部を設けた圧入片１７が形成されているとともに、上記した第１接続板１４の基端側にも食い込み突部を備えた圧入部１８が形成されている。  
一方、第２バスバー片１０Ｂの帯状基板１１の後縁には、左右両端と中心の都合３箇所に、同じく先端に矢尻部を設けた圧入片１７が形成されている。
【００１８】
続いて、ハウジング３０について説明する。ハウジング３０は合成樹脂製であって、その後方には、コンデンサ２０のホルダ５０が一体形成されている。ホルダ５０については後述する。  
ハウジング３０は、厚肉の基壁３１の前面に、相手コネクタが嵌合されるフード部３２が形成された構造である。  
ハウジング３０の基壁３１における下側の領域には、図５に示すように、上記した第１バスバー片１０Ａと第２バスバー片１０Ｂとをそれぞれ前方から挿入可能な第１装着溝３３Ａと第２装着溝３３Ｂとが、上下に一定間隔を開けて形成されている。
【００１９】
各装着溝３３Ａ，３３Ｂは、バスバー片１０Ａ，１０Ｂの帯状基板１１をすっぽりと収めるだけの奥行を有している。上側の第１装着溝３３Ａの奥面には、正面視で中心から左に偏った位置に、第１バスバー片１０Ａの接続板１４を挿通可能な挿通溝３４（図７参照）が、基壁３１の後面に貫通した形態で形成されている。  
図５に示すように、下側の第２装着溝３３Ｂにおける正面視で中心から右に偏った位置には、その天井面から上記の第１装着溝３３Ａの底面に達する縦溝３６が、所定の奥行を以て形成されている。上記の第１装着溝３３Ａにおける縦溝３６と交差した位置には、第２バスバー片１０Ｂの接続板１５（接続端部１５Ｓ）を挿通可能な挿通溝３５が、同じく基壁３１の後面に貫通した形態で形成されている。
【００２０】
さらに、第１装着溝３３Ａの奥面における左右両端部には、第１バスバー片１０Ａの左右両端の圧入片１７を圧入可能な圧入孔（図示せず）が形成されているとともに、第２装着溝３３Ｂの奥面における左右方向の中心と両端部の３箇所には、第２バスバー片１０Ｂの３本の圧入片１７を圧入可能な圧入孔３７が形成されている（図７参照）。
【００２１】
ハウジング３０の後方位置には、コンデンサ２０のホルダ５０が一体的に形成されている。コンデンサ２０は円柱形状をなしており、同コンデンサ２０の前面から一対のリード線２１が延出して設けられている。一対のリード線２１は、図１に示すように、基端側で間隔が狭く、先端側で間隔が広くされた形状に曲げ形成されている。
【００２２】
上記したハウジング３０における基壁３１の後面側には、外形が一回り小さくされた嵌合部３８が段差状に形成されており、同嵌合部３８の後面の左右両側縁から一対の連結板４０が互いに平行をなして突出形成され、両連結板４０の延出端にホルダ５０が形成されている。  
ホルダ５０は詳細には、上記した連結板４０の延出端における下部側の内面同士を繋ぐようにしてホルダ基部５１が設けられ、同ホルダ基部５１の後面側に、コンデンサ２０の前端側を嵌めて受ける円弧形面を持った載置部５２が形成されている。  
一方、ホルダ基部５１の前面には、コンデンサ２０から延出された一対のリード線２１の基部を載せて支持する支持部５３が形成されている。また、ホルダ基部５１の上面における左右方向の中心には、両リード線２１の基部の間に入って立ち上がる仕切板５４が形成されている。
【００２３】
上記のようにホルダ５０が形成されていることにより、両連結板４０の間において、後記するように、ハウジング３０に装着された両バスバー片１０Ａ，１０Ｂにおける接続板１４，１５の接続端部１４Ｓ，１５Ｓと、ホルダ５０に支持されたコンデンサ２０のリード線２１同士が重畳可能とされ、かつそれらを抵抗溶接するための作業スペースＷＳが確保されるようになっている。
【００２４】
ハウジング３０の後端部には、ホルダ５０並びに同ホルダ５０に支持されたコンデンサ２０を収容しつつ、同ハウジング３０の後面側を覆うカバー６０が装着されるようになっている。カバー６０は合成樹脂製であって、前端が開口する一方、後端が後面板６１で閉鎖された角筒形に形成されている。またカバー６０は、前端から後端に向けて段階的に幅が狭くされた段付き状に形成されている。
【００２５】
カバー６０の前端開口部６２は、ハウジング３０の嵌合部３８の外周に所定のクリアランスを持って嵌合可能とされている。同カバー６０の上下の前縁における中央幅位置からは、それぞれロック片６４が弾性撓み可能に突出形成され、各ロック片６４には、上記したハウジング３０の後端部の上下両面に形成されたロック突部４２に嵌るロック孔６５が開口されている。  
カバー６０の最も幅狭となる後端部の内部が、後記するコンデンサ保持部７１の装着空間６７とされている。
【００２６】
カバー６０の内部には、上記したコンデンサ２０をカバー６０内において弾性的に保持する保持部材７０が装着されている。この保持部材７０は、カバー６０内に略緊密に嵌合されるように、前面のみが開口され、かつカバー６０よりも一回り小さい外形をなす筒形に形成されている。  
保持部材７０の後端部には、カバー６０の装着空間６７内に略緊密に嵌るコンデンサ保持部７１が形成されており、同コンデンサ保持部７１の前面には、ホルダ５０の載置部５２から突出したコンデンサ２０の後端部が嵌合される保持孔７２が形成されている。  
保持孔７２の内周面には、周方向に沿った３条の押圧突条７３が形成されているとともに、保持孔７２の奥面には、複数の押圧突部７４が形成されている。
【００２７】
保持部材７０の前端部には、ハウジング３０の嵌合部３８の外周面と、カバー６０の前端開口部６２の内周面との間に挟持されるシール部７５が形成されている。このシール部７５の内周面と外周面とには、周方向に沿ったリップ７６，７７が３条ずつ形成されている。
【００２８】
本実施形態のコネクタＣは、以下のような手順で組み立てられる。  
２個のバスバー片１０Ａ，１０Ｂがハウジング３０の対応する装着溝３３Ａ，３３Ｂに装着される。先に下側の第２バスバー片１０Ｂが装着され、具体的には接続板１５の接続端部１５Ｓが上側の第１装着溝３３Ａに続いて、図５における右側の挿通溝３５に挿通されるとともに、接続板１５の立ち上がり部１５Ｔが縦溝３６に嵌められつつ、帯状基板１１が第２装着溝３３Ｂに挿入される。帯状基板１１が第２装着溝３３Ｂの奥面に当たったところで押し込みが停止され、接続板１５の接続端部１５Ｓが、第１装着溝３３Ａの後面における中心幅位置から正面視で右に偏った位置から後方に突出する。この間に、３本の圧入片１７が圧入孔３７に圧入されることで、第２バスバー片１０Ｂが抜け止めされて装着される。
【００２９】
続いて、第１バスバー片１０Ａが装着され、具体的には接続板１４の接続端部１４Ｓが第１装着溝３３Ａに続いて、図５の左側の挿通溝３４に挿通され、そののち帯状基板１１が第１装着溝３３Ａに挿入される。帯状基板１１が第１装着溝３３Ａの奥面に当たったところで押し込みが停止され、接続板１４の接続端部１４Ｓが、第１装着溝３３Ａの後面における中心幅位置から正面視で左に偏った位置から後方に突出する。この間に、左右２本の圧入片１７が圧入孔（図示せず）に圧入されるとともに、接続板１４の基端の圧入部１８が挿通溝３４の側壁に食い込むことで、第１バスバー片１０Ａが抜け止めされて装着される。
【００３０】
両バスバー片１０Ａ，１０Ｂがハウジング３０に装着されると、図３及び図５に示すように、各バスバー片１０Ａ，１０Ｂの５本ずつ並んだタブ１２が、上下２段に分かれてフード部３２内に突出した形態となる。また、各バスバー片１０Ａ，１０Ｂの接続板１４，１５の接続端部１４Ｓ，１５Ｓが、ハウジング３０の後面側において、同一高さ位置（第１装着溝３３Ａの高さ位置）において、中心幅位置を挟んだ左右両側に一定間隔を開けて配された形態を取る。
【００３１】
次に、コンデンサ２０が、一対のリード線２１を同一水平面上に配した前向きの姿勢とされ、その前端面がホルダ基部５１に当てられつつ前端側がホルダ５０の載置部５２に載せられる。それに伴い、両リード線２１の基端側が仕切板５４を挟んだ左右両側に配されて支持部５３に支持され、それとともに各リード線２１の先端が、各バスバー片１０Ａ，１０Ｂの接続板１４，１５における接続端部１４Ｓ，１５Ｓの上に重ねられる。係る状態から、各バスバー片１０Ａ，１０Ｂの接続板１４，１５の接続端部１４Ｓ，１５Ｓと、コンデンサ２０の対応するリード線２１の先端部とが、抵抗対応により接続される。
【００３２】
一方、カバー６０内には保持部材７０が予め嵌着される。このように保持部材７０が内嵌されたカバー６０が、ホルダ５０の後方からハウジング３０の後面に向けて嵌合される。嵌合が進むと、カバー６０の前縁の上下のロック片６４が、ハウジング３０の後端部における上下の面に設けられたロック突部４２に乗り上げて弾性撓みしつつ押し込まれ、その間に、保持部材７０の前端のシール部７５が、ハウジング３０の嵌合部３８の外周面に沿って嵌合されるとともに、コンデンサ２０がホルダ基部５１で前止まりされつつ、その後端部が保持部材７０のコンデンサ保持部７１に形成された保持孔７２内に、押圧突条７３を潰しつつ圧入される。
【００３３】
コンデンサ２０が押圧突部７４を潰してその奥面に当たるまでカバー６０が押し込まれると、ロック片６４のロック孔６５がロック突部４２を通過することにより、ロック片６４が復動変位しつつロック突部４２がロック孔６５に嵌り、カバー６０が抜け止め状態にロックされて被着される。このとき、保持部材７０の前端のシール部７５が、嵌合部３８の外周面の全幅と、カバー６０の前端開口部６２の内周面との間で、全周に亘って弾縮されて挟持された状態となる。以上により、コネクタＣの組み立てが完了する。
【００３４】
このように組み立てられたコネクタＣは、ハウジング３０のフード部３２内に相手コネクタがシールされて嵌合され、相手コネクタに装着された雌端子が対応するタブ１２と接続されることによって、電気・電子機器等から導出された複数の電線が、コンデンサ２０を介在させた上で一括して接続されることになる。
【００３５】
以上のように本実施形態によれば、コネクタＣを構成するカバー６０内に弾性材からなる保持部材７０を配して、同保持部材７０（コンデンサ保持部７１）にコンデンサ２０の後端部を嵌着して弾性的に保持する構造としたから、コンデンサ２０の寸法公差を吸収した上で、コネクタＣが振動を受けることに起因してコンデンサ２０が振動することを抑止でき、リード線２１とバスバー片１０Ａ，１０Ｂの接続板１４，１５との溶接部分が破損することを未然に防止できる。
【００３６】
カバー６０の前端開口部６２の内周面と、ハウジング３０の嵌合部３８の外周面との間に介在されて防水を図るシール部７５を、保持部材７０の前縁に一体的に形成したから、シール部を別体として設けた場合と比較して、部品点数が少なくなり、かつ装着動作も正確にかつ迅速に行うことができ、ひいては製造コストの低減に寄与できる。
【００３７】
ハウジング３０の後面から左右一対の連結板４０が平行姿勢で後方に向けて延出形成されて、両連結板４０の延出端に亘ってホルダ５０が形成された構造としており、これによりバスバー片１０Ａ，１０Ｂの接続板１４，１５とコンデンサ２０のリード線２１とを接続するための作業スペースＷＳを確保した上で、ハウジング３０とホルダ５０とを一体的に設けた簡易な構造とすることができる。
【００３８】
ホルダ５０が、ホルダ基部５１の後面側に円弧形面を有する載置部５２を、前面に支持部５３を設けた構造であって、ホルダ５０の載置部５２にコンデンサ２０の前端部を載置すると、同コンデンサ２０のリード線２１の基端側が支持部５３に載せられて支持されるようになっている。結果、リード線２１を含めてコンデンサ２０を安定して保持することができる。
【００３９】
＜他の実施形態＞
本発明は上記記述及び図面によって説明した実施形態に限定されるものではなく、例えば次のような実施形態も本発明の技術的範囲に含まれる。  
（１）上記実施形態では、コンデンサ保持部を有する保持部材に一体的にシール部を設けた場合を例示したが、シール部は別体として備えるようにしてもよい。  
（２）上記実施形態では、バスバー片の接続板とコンデンサのリード線とを抵抗溶接で接続する場合を例示したが、半田付け等の他の接続手段を採用してもよい。  
（３）上記実施形態では電子部品としてコンデンサを例示したが、抵抗、ダイオード等の他の電子部品であってもよい。
【符号の説明】
【００４０】
Ｃ…コネクタ
１０，１０Ａ，１０Ｂ…バスバー片（導電部材）
１４，１５…接続板
１４Ｓ，１５Ｓ…接続端部（接続部）
２０…コンデンサ（電子部品）
２１…リード線
３０…ハウジング
３３Ａ，３３Ｂ…装着溝
３８…嵌合部（ハウジング３０の後端部）
４０…連結板
５０…ホルダ
５１…ホルダ基部
５２…載置部（載置面）
５３…支持部
６０…カバー
６１…後面板
６２…前端開口部
７０…保持部材
７１…コンデンサ保持部
７２…保持孔
７５…シール部
【図１】
2015011909.tif 000003
【図２】
2015011909.tif 000004
【図３】
2015011909.tif 000005
【図４】
2015011909.tif 000006
【図５】
2015011909.tif 000007
【図６】
2015011909.tif 000008
【図７】
2015011909.tif 000009